(57)【要約】【課題】簡単な構成で、コストの増大をほとんどもたらすことなく、映像コンテンツの不正な盗難に対して、映像コンテンツの送出元も含めて確実に防止することができるようにする。【解決手段】映像信号を受信中にプロジェクタ１のセットカバー１１が開かれると、センサ１２は‘Ｈ’レベルの信号を出力し、プロジェクタ本体のマイコンがこの信号を検出する。マイコンの通知手段１４はイーサネット（登録商標）を介して、映像コンテンツサーバ２に映像信号の送出を停止するように通知し、電源切断手段１５は、プロジェクタ１のメイン電源を切断する。映像コンテンツサーバ２の信号送出手段２１は、プロジェクタ１からの停止要求信号を受けると、映像信号の送出を停止する。【選択図】        図１
2004241970.tif 000002
【特許請求の範囲】
【請求項１】
外部から映像コンテンツを受信して該映像コンテンツを再生する受信再生手段を備えた映像コンテンツ受信再生装置であって、
前記受信再生手段における少なくとも再生可能な映像信号が流れる部分を閉状態で露出不能にさせるよう開閉可能に設けられた保護カバーと、
前記保護カバーの開閉を検知する開閉検知手段と、
前記開閉検知手段により前記保護カバーが閉状態でないことが検知されると、前記映像コンテンツの送出を停止させる停止要求信号をコンテンツ送出元に通知する通知手段と、を備えたことを特徴とする映像コンテンツ受信再生装置。
【請求項２】
前記開閉検知手段により前記保護カバーが閉状態でないことが検知されると、装置本体の電源をＯＦＦにする電源切断手段を備えたことを特徴とする請求項１記載の映像コンテンツ受信再生装置。
【請求項３】
前記保護カバーは、装置本体に回動可能に設けられ、
前記開閉検知手段は、該保護カバーが閉状態とされているか否かにより出力信号が切り替えられるスイッチであることを特徴とする請求項１または２記載の映像コンテンツ受信再生装置。
【請求項４】
前記開閉検知手段は、前記保護カバーが閉状態であるか否かにより出力信号が切り替えられる光学センサであることを特徴とする請求項１または２記載の映像コンテンツ受信再生装置。
【請求項５】
映像コンテンツを再生不能な状態で格納した映像コンテンツサーバと、該映像コンテンツサーバに接続され、受信した前記映像コンテンツを再生可能な状態に変換して再生する受信再生手段を具備した映像コンテンツ受信再生装置と、を備えてなる映像コンテンツ再生システムであって、
前記映像コンテンツサーバは、映像コンテンツの再生不能な状態である映像信号を前記映像コンテンツ受信再生装置に送出する信号送出手段を具備し、
前記映像コンテンツ受信再生装置は、
前記受信再生手段における少なくとも再生可能な映像信号が流れる部分を閉状態で露出不能にさせるよう開閉可能に設けられた保護カバーと、
前記保護カバーの開閉を検知する開閉検知手段と、
前記開閉検知手段により前記保護カバーが閉状態でないことが検知されると、前記信号送出手段に前記映像コンテンツの映像信号の送出を停止させる停止要求信号を前記映像コンテンツサーバに通知する通知手段と、を具備したことを特徴とする映像コンテンツ再生システム。
【請求項６】
前記映像コンテンツ受信再生装置は、前記開閉検知手段により前記保護カバーが閉状態でないことが検知されると、装置本体の電源をＯＦＦにする電源切断手段を備えたことを特徴とする請求項５記載の映像コンテンツ再生システム。
【請求項７】
前記保護カバーは、装置本体に回動可能に設けられ、
前記開閉検知手段は、該保護カバーが閉状態とされているか否かにより出力信号が切り替えられるスイッチであることを特徴とする請求項５または６記載の映像コンテンツ再生システム。
【請求項８】
前記開閉検知手段は、前記保護カバーが閉状態であるか否かにより出力信号が切り替えられる光学センサであることを特徴とする請求項５または６記載の映像コンテンツ再生システム。
【請求項９】
前記映像コンテンツサーバの複数が、ハブを介して前記映像コンテンツ受信再生装置に接続され、
要求を受けた映像コンテンツサーバの前記信号送出手段は、前記映像コンテンツの映像信号を前記映像コンテンツ受信再生装置のアドレス情報を指定して送出し、
前記通知手段は、前記映像コンテンツサーバのアドレス情報を指定して前記停止要求信号を送出することを特徴とする請求項５から８の何れか１項に記載の映像コンテンツ再生システム。
【請求項１０】
映像コンテンツを再生不能な状態で格納した映像コンテンツサーバと、前記映像コンテンツを再生可能な状態に変換して再生する受信再生手段を具備した映像コンテンツ受信再生装置と、を備えてなる映像コンテンツ再生システムにおける映像コンテンツ再生方法であって、
前記受信再生手段における少なくとも再生可能な映像信号が流れる部分を閉状態で露出不能にさせるよう開閉可能に設けられた保護カバーが閉状態であるか否かを検知する開閉検知工程と、
前記開閉検知工程で前記保護カバーが閉状態でないことが検知されると、前記映像コンテンツサーバに前記映像コンテンツの映像信号の送出を停止させる停止要求信号を該映像コンテンツサーバに通知する通知工程と、を備えたことを特徴とする映像コンテンツ再生方法。
【請求項１１】
前記開閉検知工程で前記保護カバーが閉状態でないことが検知されると、装置本体の電源をＯＦＦにする電源切断工程を備えたことを特徴とする請求項１０記載の映像コンテンツ再生方法。
【発明の詳細な説明】
【０００１】
【発明の属する技術分野】
本発明は、例えば映像コンテンツを格納したサーバからその映像コンテンツを受信して再生するプロジェクタなど、外部から受信した映像コンテンツを再生する映像コンテンツ受信再生装置、映像コンテンツ再生システム、および方法に関する。
【０００２】
【従来の技術】
従来の映像コンテンツ再生システムは、図８に示すように、プロジェクタ８が映像コンテンツサーバ９に接続されて構成される。
映像コンテンツサーバ９は、映像コンテンツＡを記憶手段９２に格納し、その映像コンテンツＡを信号送出手段９１がプロジェクタ８に送出する。プロジェクタ８は、送出された映像コンテンツＡを受信再生手段８２により再生する。
【０００３】
映像コンテンツサーバ９は、映像コンテンツＡを、暗号化によりそのままでは再生不能な映像信号として格納している。また、当該映像コンテンツサーバ９から映像コンテンツＡのデータ（映像信号）が不正に取り出されることのないようにセキュリティ対策がなされている。
【０００４】
また、特開平１１−２７６４７号公報（特許文献１）の「映像信号受信再生装置」がある。このものは、送信局から暗号化された映画データを受信し、復号化して再生する装置であり、コントローラがその送信局から装置開封許可データを受けてから筐体を開封する所定の手続きによってしか装置を開封できないように構成され、無理に開封されると、コントローラが各構成機器の機能が正しく動作しなくなるようにするものである。
【０００５】
【特許文献１】
特開平１１−２７６４７号公報
【０００６】
【発明が解決しようとする課題】
しかしながら、図８を参照して上述した従来の映像コンテンツ再生システムでは、映像コンテンツサーバ９における映像コンテンツＡの暗号化された映像信号を、プロジェクタ８が復号化して再生可能な映像信号とすることで再生するため、所要の知識を有する者がセットカバー８１を開けて受信再生手段８２における再生可能な映像信号が流れる部分に対して、基板や配線などに何らかの細工を行うと、映像コンテンツＡをその再生可能な映像信号により不正に盗難されてしまう虞があった。
【０００７】
また、上述した特許文献１のものは、映画データへの不正行為に対して、上記した所定の手続き以外により筐体が開封された場合に装置本体における復号化などの機能を止めるものであり、映画データの送信局に対して送信を停止させることまで考慮したものではない。
また、送信局との通信により装置開封許可データを受けた場合のみ装置を開封可能にするなど、構成が複雑化してしまうことによりコストがかかってしまう問題があった。
【０００８】
本発明は、このような状況に鑑みてなされたものであり、簡単な構成で、コストの増大をほとんどもたらすことなく、映像コンテンツの不正な盗難に対して、映像コンテンツの送出元も含めて確実に防止することができる映像コンテンツ受信再生装置、映像コンテンツ再生システム、および方法を提供することを目的とする。
【０００９】
【課題を解決するための手段】
上記課題を解決するために、本発明は以下の特徴を有する。
請求項１記載の発明は、外部から映像コンテンツを受信して該映像コンテンツを再生する受信再生手段を備えた映像コンテンツ受信再生装置であって、受信再生手段における少なくとも再生可能な映像信号が流れる部分を閉状態で露出不能にさせるよう開閉可能に設けられた保護カバーと、保護カバーの開閉を検知する開閉検知手段と、開閉検知手段により保護カバーが閉状態でないことが検知されると、映像コンテンツの送出を停止させる停止要求信号をコンテンツ送出元に通知する通知手段と、を備えたことを特徴とする。
【００１０】
請求項２記載の発明は、上記した開閉検知手段により保護カバーが閉状態でないことが検知されると、装置本体の電源をＯＦＦにする電源切断手段を備えたことを特徴とする。
【００１１】
請求項３記載の発明は、上記した保護カバーが、装置本体に回動可能に設けられ、上記の開閉検知手段は、該保護カバーが閉状態とされているか否かにより出力信号が切り替えられるスイッチであることを特徴とする。
【００１２】
請求項４記載の発明は、上記した開閉検知手段が、保護カバーが閉状態であるか否かにより出力信号が切り替えられる光学センサであることを特徴とする。
【００１３】
請求項５記載の発明は、映像コンテンツを再生不能な状態で格納した映像コンテンツサーバと、該映像コンテンツサーバに接続され、受信した映像コンテンツを再生可能な状態に変換して再生する受信再生手段を具備した映像コンテンツ受信再生装置と、を備えてなる映像コンテンツ再生システムであって、映像コンテンツサーバは、映像コンテンツの再生不能な状態である映像信号を映像コンテンツ受信再生装置に送出する信号送出手段を具備し、映像コンテンツ受信再生装置は、受信再生手段における少なくとも再生可能な映像信号が流れる部分を閉状態で露出不能にさせるよう開閉可能に設けられた保護カバーと、保護カバーの開閉を検知する開閉検知手段と、開閉検知手段により保護カバーが閉状態でないことが検知されると、信号送出手段に映像コンテンツの映像信号の送出を停止させる停止要求信号を映像コンテンツサーバに通知する通知手段と、を具備したことを特徴とする。
【００１４】
請求項６記載の発明は、映像コンテンツ受信再生装置が、上記した開閉検知手段により保護カバーが閉状態でないことが検知されると、装置本体の電源をＯＦＦにする電源切断手段を備えたことを特徴とする。
【００１５】
請求項７記載の発明は、上記した保護カバーが、装置本体に回動可能に設けられ、上記の開閉検知手段は、該保護カバーが閉状態とされているか否かにより出力信号が切り替えられるスイッチであることを特徴とする。
【００１６】
請求項８記載の発明は、上記した開閉検知手段が、保護カバーが閉状態であるか否かにより出力信号が切り替えられる光学センサであることを特徴とする。
【００１７】
請求項９記載の発明は、上記の映像コンテンツサーバの複数が、ハブを介して映像コンテンツ受信再生装置に接続され、要求を受けた映像コンテンツサーバの信号送出手段は、映像コンテンツの映像信号を映像コンテンツ受信再生装置のアドレス情報を指定して送出し、上記した通知手段は、映像コンテンツサーバのアドレス情報を指定して停止要求信号を送出することを特徴とする。
【００１８】
請求項１０記載の発明は、映像コンテンツを再生不能な状態で格納した映像コンテンツサーバと、映像コンテンツを再生可能な状態に変換して再生する受信再生手段を具備した映像コンテンツ受信再生装置と、を備えてなる映像コンテンツ再生システムにおける映像コンテンツ再生方法であって、受信再生手段における少なくとも再生可能な映像信号が流れる部分を閉状態で露出不能にさせるよう開閉可能に設けられた保護カバーが閉状態であるか否かを検知する開閉検知工程と、開閉検知工程で保護カバーが閉状態でないことが検知されると、映像コンテンツサーバに映像コンテンツの映像信号の送出を停止させる停止要求信号を該映像コンテンツサーバに通知する通知工程と、を備えたことを特徴とする。
【００１９】
請求項１１記載の発明は、上記した開閉検知工程で保護カバーが閉状態でないことが検知されると、装置本体の電源をＯＦＦにする電源切断工程を備えたことを特徴とする。
【００２０】
なお、上記した再生可能な映像信号とは、一般の機器に備えられた通常の再生手段のみで（専用の変換回路などを必要とせずに）再生することが可能な信号であり、例えば映像コンテンツサーバに格納された映像コンテンツが何らかの方式で暗号化されて不正アクセスが防止されている場合、その暗号が復号化された映像信号のことである。
また、上記した再生不能な状態とは、一般の機器に備えられた通常の再生手段のみで（専用の変換回路などを必要とせずに）再生することが不可能な状態であり、例えば暗号化などがなされた状態である。
また、上記した露出不能にさせることとは、上記の少なくとも再生可能な映像信号が流れる部分に、上記した保護カバーの閉状態で手を触れることができなくすることである。すなわち、上記した少なくとも再生可能な映像信号が流れる部分に何らかの方法で手を加えて信号を取り出すことをできなくさせることである。
【００２１】
【発明の実施の形態】
次に、本発明に係る映像コンテンツ受信再生装置、映像コンテンツ再生システム、および方法について、本発明に係る映像コンテンツ受信再生装置をプロジェクタに適用した場合の実施形態を、図面を用いて詳細に説明する。
【００２２】
本実施形態としての映像コンテンツ再生システムは、図１に示すように、プロジェクタ１と映像コンテンツサーバ２とが、映像信号の送信用ケーブルとイーサネット（登録商標）とにより接続されて構成される。
この映像信号の送信用ケーブルは、送信される映像信号の規格に応じた各種のものであってよい。また、イーサネット（登録商標）による接続は、制御命令などの伝達に用いられる。
【００２３】
プロジェクタ１は、セットカバー（保護カバー）１１の開閉部にセンサ（開閉検知手段）１２を備えると共に、受信再生手段１３と、通知手段１４と、電源切断手段１５とを、セットカバー１１により外部に露出しないよう備えている。すなわち、セットカバー１１が閉じられた状態（以下、閉状態）では、受信再生手段１３などにおける少なくとも再生可能な映像信号が流れる部分が、外部に露出することのないように構成されている。
【００２４】
セットカバー１１は、プロジェクタ１の装置本体に、蝶番により開閉可能に設けられ、閉状態でネジにより装置本体に固定することができ、上述のように内部回路が露出しないよう保護している。すなわち、このセットカバー１１を開けなければ、受信再生手段１３などの内部回路に手を触れることができないようになっている。
センサ１２は、セットカバー１１が閉状態であるか否かによりＯＮ／ＯＦＦを切り替えるスイッチである。
受信再生手段１３は、映像コンテンツサーバ２から送られる映像コンテンツＡの映像信号を受信し、その映像信号を再生可能な信号に変換して再生する。
【００２５】
通知手段１４は、センサ１２によりセットカバー１１が閉状態でないことが検知されると、映像コンテンツサーバ２に対して、映像コンテンツＡの送出を停止させる停止要求信号をイーサネット（登録商標）を介して送出し、その閉状態でない旨を通知する。
電源切断手段１５は、センサ１２によりセットカバー１１が閉状態でないことが検知されると、プロジェクタ１の電源をＯＦＦにする。
【００２６】
映像コンテンツサーバ２は、信号送出手段２１と、映像コンテンツＡなどを格納した記憶手段２２とを備え、ユーザの要求に応じてその映像コンテンツＡをプロジェクタ１に送出する。
この映像コンテンツＡのデータ（映像信号）は、暗号化などにより、そのままでは一般の機器による再生ができない状態（再生不能な状態）で格納されている。また、映像コンテンツサーバ２は、この映像コンテンツＡのデータが不正に取り出されることのないよう、セキュリティ対策がなされている。このセキュリティ対策は、例えばパスワードによるアクセス権限の管理など、各種のものであってよい。
【００２７】
信号送出手段２１は、ユーザから要求を受けると、映像信号の送信用ケーブルを介して映像コンテンツＡの映像信号をプロジェクタ１に送出する。このユーザによる要求の入力は、映像コンテンツサーバ２の入力手段（キーボードやマウスなど；不図示）からなされてもよく、プロジェクタ１の操作部（不図示）からなされてもよい。
また、信号送出手段２１は、プロジェクタ１の通知手段１４から上記した停止要求信号を受けると、プロジェクタ１に対する映像信号の送出を停止する。
【００２８】
以上のように、本実施形態としての映像コンテンツ再生システムは、プロジェクタ１におけるセットカバー１１の開閉部分にセンサ１２を設けたことを特徴としたものである。
このセンサ１２はプロジェクタ１のセットカバー１１が開くと、プロジェクタ本体（マイコン）にその状態を通知する。プロジェクタ本体は、イーサネット（登録商標）経由で映像コンテンツサーバ２に映像データの送出を止める指示を出すと共に、プロジェクタ１のメイン電源を切断する。映像コンテンツサーバ２は、映像データの送出を止めるという動作を実行する。
従って、本発明によれば、プロジェクタ１より映像コンテンツが盗難されることを防止でき、プロジェクタの映像コンテンツセキュリティ方式を実現できるという効果が得られる。
【００２９】
図２に、本実施形態としての映像コンテンツ再生システムの物理的構成の概要を示す。
プロジェクタ１は、セットカバー１１の開閉部分にセンサ１２を有する。このセンサ１２からの信号はプロジェクタ１のマイコンに供給され、処理される。このセンサ１２からの信号として、セットカバー１１が閉状態でない旨を示す信号が供給されると、プロジェクタ１のマイコンは、映像コンテンツサーバ２に対し、イーサネット（登録商標）を通じて映像信号の停止指示（停止要求信号）を出し、プロジェクタ１のメイン電源の切断を行う。
すなわち、このプロジェクタ１のマイコンは、上述した受信再生手段１３と、通知手段１４と、電源切断手段１５として機能する。
【００３０】
映像コンテンツサーバ２は、マイコンから停止要求信号を受けると、プロジェクタ１への映像信号の送出を停止する。こうした映像コンテンツサーバ２の動作は、ＣＰＵなどの主制御部が、記憶手段に格納されたプログラムにより動作することで実現される。
【００３１】
プロジェクタ１のセンサ１２は、図３に示すように、セットカバー１１における蝶番と反対側の回動部分が閉状態で装置本体に圧接される場所（開閉部分）に配設される。このことにより、セットカバー１１が開閉されるのに連動して、センサ１２のＯＮ／ＯＦＦが切り替えられ、センサ１２による出力レベルが変化する。
このセンサ１２による出力レベルの変化は、図４に示すように、セットカバー１１が閉状態であれば出力レベルが‘Ｌ’であり、セットカバー１１が閉状態から少しでも開かれた状態では出力レベルが‘Ｈ’となるものである。
この出力変化により、センサ１２がセットカバー１１の開閉検知手段として機能し、マイコンは上述した処理を実行する。
【００３２】
次に、本実施形態としての映像コンテンツ再生システムにおけるセットカバー１１が開かれた際の動作について説明する。このセットカバーが開かれた際の本発明による動作は、映像信号を受信中である場合の動作であり、受信中でない場合については必ずしも以下の動作を行わないこととしてよい。
この映像信号の受信は、映像コンテンツサーバ２の入力手段（不図示）や、プロジェクタ１の操作部（不図示）などから、映像コンテンツＡの再生要求が入力されることで開始される。信号送出手段２１から送出された映像コンテンツＡの映像信号を受信再生手段１３が受信すると、この受信再生手段１３が、プロジェクタとしての映写処理など、受信した映像信号の再生を行う。
【００３３】
プロジェクタ１のセットカバー１１が開かれると（ステップＳ１；Ｙｅｓ）、センサ１２は‘Ｈ’レベルの信号を出力し（ステップＳ２）、プロジェクタ本体のマイコンがこの信号を検出する（ステップＳ３）。マイコンの通知手段１４はイーサネット（登録商標）を介して、映像コンテンツサーバ２に映像信号の送出を停止するように通知し（ステップＳ４）、電源切断手段１５は、プロジェクタ１のメイン電源を切断する（ステップＳ５）。映像コンテンツサーバ２の信号送出手段２１は、プロジェクタ１からの停止要求信号を受けると、映像信号の送出を停止する（ステップＳ６）。
【００３４】
このように、映像コンテンツサーバ２の停止、プロジェクタ１のメイン電源切断により、本実施形態としての映像コンテンツ再生システムによれば、プロジェクタ１におけるセットカバー１１の開閉部分にセンサ１２を配設するという簡単な構成で、コストの増大をほとんどもたらすことなく、プロジェクタ本体より映像コンテンツが盗難されることを防止することができる。
【００３５】
本発明の他の実施例として、図６に示すように、ＨＵＢ５を用いてプロジェクタ３を複数の映像コンテンツサーバ４（４ａ、４ｂ、４ｃ）と接続することとしてもよい。
この図６では、上述した実施形態におけるイーサネット（登録商標）による接続のみを図示し、映像信号の送信用ケーブルによる接続を省略している。また、上述した実施形態と同様のものについては同じ符号とし、その説明を省略する。
【００３６】
通知手段３４は、センサ１２によりセットカバー１１が閉状態でないことが検知されると、その時点で映像コンテンツの送信を受けている映像コンテンツサーバ４に対して、当該映像コンテンツサーバのアドレス情報を指定して、その送出中である映像コンテンツの送出を停止させる停止要求信号をイーサネット（登録商標）を介して送出し、その閉状態でない旨を通知する。
信号送出手段４１は、ユーザから要求を受けると、映像信号の送信用ケーブル（不図示）を介して、要求された映像コンテンツの映像信号をプロジェクタ３のアドレス情報を指定して送出する。また、送出先のプロジェクタ３から停止要求信号を受けると、そのプロジェクタ３に対する映像信号の送出を停止する。
【００３７】
センサ３２は、図７に示すように、上述した実施形態における押下型センサに替えてフォトセンサ（光学センサ）としている。このフォトセンサは、ＬＥＤと、そのＬＥＤからの光を受光するフォトＭＯＳと、その受光を遮る可動式のセンサシャッターとが１つのユニットとして構成されたものである。
図７に示す例では、セットカバー１１が閉状態であるとセンサシャッターが開かれ、センサ３２による出力信号が‘Ｌ’となっている。また、セットカバー１１が閉状態でなくなるとセンサシャッターが閉じられ、センサ３２による出力信号が‘Ｈ’となっている。こうしてセットカバー１１が閉状態であるか否かにより出力信号が切り替えられることで、セットカバー１１の開閉検知手段として機能する。
【００３８】
上述した他の実施形態によれば、イーサネット（登録商標）接続にＨＵＢ５を介して複数個の映像コンテンツサーバ４を接続する構成とすることで、それぞれの映像コンテンツサーバ４の映像コンテンツに対して盗難防止という効果が得られる。
また、センサにフォトセンサを用いることにより、スイッチの接触不良による誤動作チャタリングを防止することができる。
【００３９】
なお、上述した各実施形態は、本発明の好適な実施形態であり、本発明の主旨を逸脱しない範囲内において、種々変形して実施することが可能である。
例えば、センサ（１２、３２）は上述したものに限定されず、セットカバー１１が閉状態であるか否かを検知することが可能なものであれば、どのようなものを用いてもよい。また、その閉状態であるか否かを検知することによる出力信号の切り替えは、マイコン（通知手段と電源切断手段）が認識可能であれば、閉状態における出力信号が‘Ｈ’であっても‘Ｌ’であってもよい。
【００４０】
また、各実施形態におけるセットカバーは、受信再生手段における少なくとも再生可能な映像信号が流れる部分を、閉状態で手を触れられない状態にすることができれば、どういった形状であってもよい。
また、上述した蝶番とネジによりプロジェクタの装置本体に取り付けられることに限定されず、例えば、着脱式のふたであってもよい。また、閉状態での固定方式はネジ止めに限定されず、例えばはめ込み式による固定であってもよい。
【００４１】
また、上述した各実施形態では、映像コンテンツは、１つの映像コンテンツサーバに複数格納されていてもよい。この場合、再生する映像コンテンツのユーザによる指定は、プロジェクタからイーサネット（登録商標）を介して行われてもよく、再生を要求する映像コンテンツが格納された映像コンテンツサーバで行われてもよい。
【００４２】
また、上述した各実施形態では、プロジェクタと映像コンテンツサーバとの間は、映像信号を伝送するための接続と、制御信号をやりとりするためのイーサネット（登録商標）の接続とがなされているが、通信可能に接続されていればこのことに限定されず、例えば上記した２つの接続に替えて光通信ケーブルなどの１つの接続であってもよい。また、上記したイーサネット（登録商標）による接続は、制御信号のやりとりを行う制御信号接続であればこれに限定されず、例えば、ＲＳ−２３２Ｃ、ＵＳＢ、ＩＥＥＥ１３９４などによる接続であってもよい。
また、上記した２つの接続は、ケーブルによる接続に限定されず、無線通信であってもよい。
【００４３】
また、以上に、本発明に係る映像コンテンツ受信再生装置をプロジェクタに適用した場合の実施形態について説明したが、このものに限定されず、外部からの映像コンテンツを受信して再生することができるものであれば、例えばディスプレイ装置に再生する受信再生装置などに対しても、同様に適用することができる。
【００４４】
【発明の効果】
以上のように、本発明の映像コンテンツ受信再生装置によれば、少なくとも再生可能な映像信号が流れる部分を保護カバーが露出不能にさせ、その保護カバーが閉状態でないことを開閉検知手段が検知すると、停止要求信号がコンテンツ送出元に通知される。
このことにより、簡単な構成で、コストの増大をほとんどもたらすことなく、映像コンテンツの不正な盗難に対して、映像コンテンツの送出元も含めて確実に防止することができる。
【００４５】
また、上記開閉検知手段により保護カバーが閉状態でないことが検知されると、電源切断手段が装置本体の電源をＯＦＦにする。
このことにより、簡単な構成で、コストの増大をほとんどもたらすことなく、映像コンテンツの不正な盗難に対して、映像コンテンツの送出元も含めて確実に防止することができる。
【００４６】
また、本発明の各映像コンテンツ再生システム、および各映像コンテンツ再生方法によっても、上記した本発明の各映像コンテンツ受信再生装置の効果と同様の効果を得ることができる。
【図面の簡単な説明】
【図１】本発明の実施形態としての映像コンテンツ再生システムの構成の概要を示すブロック図である。
【図２】該映像コンテンツ再生システムの物理的構成の概要を示すブロック図である。
【図３】本実施形態におけるプロジェクタを開状態で上から見た概要を示す平面図である。
【図４】センサの状態と、センサからの出力信号との関係を示すタイミング図である。
【図５】セットカバーが開かれた際の動作を示すフローチャートである。
【図６】本発明の他の実施形態としての映像コンテンツ再生システムの構成の概要を示すブロック図である。
【図７】他の実施形態におけるセットカバーの状態と、センサの反応との関係を示す図である。
【図８】従来の映像コンテンツ再生システムの構成の概要を示すブロック図である。
【符号の説明】
１、３  プロジェクタ（映像コンテンツ受信再生装置）
１１  セットカバー（保護カバー）
１２、３２  センサ（開閉検知手段）
１３  受信再生手段
１４、３４  通知手段
１５  電源切断手段
２、４（４ａ、４ｂ、４ｃ）  映像コンテンツサーバ
２１、４１（４１ａ、４１ｂ、４１ｃ）  信号送出手段
２２  記憶手段
５  ＨＵＢ（ハブ）
Ａ、Ｂ、Ｃ  映像コンテンツ
【図１】
2004241970.tif 000003
【図２】
2004241970.tif 000004
【図３】
2004241970.tif 000005
【図４】
2004241970.tif 000006
【図５】
2004241970.tif 000007
【図６】
2004241970.tif 000008
【図７】
2004241970.tif 000009
【図８】
2004241970.tif 000010